(57)【要約】【課題】製造コストの低廉化を図りながら、また排水時に超音波発生器が排水の妨げになり難く、溜め水の殺菌を確実にかつ実施上有効に行い得る水洗便器を提供する。【解決手段】水洗便器１は、ボウル部１３の底部１３ａから所定の高さ位置にまで溜め水１６を溜めるように構成されている。ボウル部１３を、陶器で構成する。このボウル部１３の溜め水１６の水面１７よりも下側の下側部位１３ｂに、ボウル部１３の内外を貫通する貫通孔２１を設け、この貫通孔２１に出力部２２ａを有する超音波発生器２２を設ける。超音波発生器２２の出力部２２ａを、ボウル部１３の内側に露出させる。超音波発生器２２は、溜め水１６に対し超音波振動２３を起こすことで溜め水１６を殺菌する。【選択図】図３
2016118001.tif 000002
【特許請求の範囲】
【請求項１】
ボウル部の底部から所定の高さ位置にまで溜め水を溜めるように構成された水洗便器であって、
前記ボウル部は、陶器からなり、このボウル部の前記溜め水の水面よりも下側の下側部位には前記ボウル部の内外を貫通する貫通孔が設けられ、この貫通孔には出力部を有する超音波発生器が設けられており、前記超音波発生器の出力部は、前記ボウル部の内側に露出しており、前記超音波発生器は、前記溜め水に対し超音波振動を起こすことで前記溜め水を殺菌することを特徴とする水洗便器。
【請求項２】
前記貫通孔の周縁と前記超音波発生器との間にはその間を水密状態にシールするシール材が設けられている請求項１記載の水洗便器。
【発明の詳細な説明】
【技術分野】
【０００１】
本発明は、水洗便器に関し、特に、超音波振動子等の超音波発生器を用いて便器のボウル部内の溜め水を殺菌するものに係わる。
【背景技術】
【０００２】
一般に、水洗便器は、ボウル部の底部に、トラップ部と連通する排水流路が設けられ、通常時に前記ボウル部の底部から所定の高さ位置にまで水を溜め、排水時にこの溜め水を汚物と共に排水するように構成されている。
【０００３】
そして、この種の水洗便器において、通常時にボウル部内の溜め水を、超音波振動子等の超音波発生器を用いて殺菌することは知られている（特許文献１参照）。これは、超音波発生器により溜め水中に超音波振動を起こし、キャビテーションを発生させて殺菌効果を発揮するものである。
【０００４】
また、特許文献１には、超音波発生器を水洗便器に装備する構成として、３つの構成が記載されている。すなわち、
（１）超音波発生器をボウル部の底部内側の溜め水中に設置し、通常時に超音波発生器でボウル部内の溜め水に対し超音波振動を直接起こすように構成する。
（２）超音波発生器をボウル部の壁面外側に設置し、通常時に超音波発生器でボウル部の壁面を通してボウル部内の溜め水に対し超音波振動を起こすように構成する。
（３）超音波発生器を、ボウル部内の溜め水中に出し入れ可能に設け、通常時に超音波発生器をボウル部内の溜め水中に入れた状態でボウル部内の溜め水に対し超音波振動を起こすように構成する。
【先行技術文献】
【特許文献】
【０００５】
【特許文献１】特開平１１−２９３７５２号公報
【発明の概要】
【発明が解決しようとする課題】
【０００６】
ところが、前記３つの構成のうち、（１）の構成の場合、超音波発生器がボウル部の底部内側の溜め水中に設置されているため、排水時に超音波発生器が排水の妨げになるという問題がある。
【０００７】
また、（２）の構成の場合、超音波発生器がボウル部の壁面を通してボウル部内の溜め水に対し超音波振動を起こすようになっているため、超音波発生器に高出力のものを使用する必要があり、その分製造コストが高くつくなどの問題がある。特に、ボウル部が陶器からなる場合、その肉厚が比較的に厚く、超音波振動の伝達率が低くなることから、前記の問題が顕著である。
【０００８】
更に、（３）の構成の場合、超音波発生器とは別に、超音波発生器をボウル部内の溜め水中に出し入れするための駆動装置などが必要となるため、部品点数が多くなり、その分製造コストが高くつくなどの問題がある。
【０００９】
本発明はかかる諸点に鑑み、その課題は、特に、陶器製のボウル部を備えた水洗便器に超音波発生器を装備するに当たり、その構成を改良することにより、高出力の超音波発生器を使用しなくてもボウル部内の溜め水に対し超音波振動を確実に起こすことができる。よって製造コストの低廉化を図りながら、また、排水時に超音波発生器が排水の妨げになり難く、溜め水の殺菌を確実にかつ実施上有効に行い得る水洗便器を提供することにある。
【課題を解決するための手段】
【００１０】
前記の課題を解決するため、本発明は、ボウル部の底部から所定の高さ位置にまで溜め水を溜めるように構成された水洗便器を前提とする。そして、前記ボウル部を、陶器で構成し、このボウル部の前記溜め水の水面よりも下側の下側部位に、前記ボウル部の内外を貫通する貫通孔を設け、この貫通孔に出力部を有する超音波発生器を設ける。前記超音波発生器の出力部を、前記ボウル部の内側に露出させる。前記超音波発生器は、前記溜め水に対し超音波振動を起こすことで前記溜め水を殺菌することを特徴とする。
【発明の効果】
【００１１】
本発明の水洗便器によれば、陶器製のボウル部の下側部位に貫通孔が設けられ、この貫通孔に設けた超音波発生器の出力部がボウル部の内側に露出して、ボウル部内の溜め水に対し超音波振動を起こすようになっている。このため、高出力の超音波発生器を使用しなくてもボウル部内の溜め水に対し超音波振動を確実に起こすことができ、また、排水時に超音波発生器が排水の妨げになり難い。よって、製造コストの低廉化を図りながら、溜め水の殺菌を確実にかつ実施上有効に行うことができる。
【図面の簡単な説明】
【００１２】
【図１】図１は本発明の実施形態に係る水洗便器の便座及び便座カバーを開けた状態を示す斜視図である。
【図２】図２は図１のＸ方向から見た矢視図である。
【図３】図３は前記水洗便器のボウル部の縦断側面図である。
【発明を実施するための形態】
【００１３】
以下、本発明を実施するための形態である実施形態を図面に基づいて説明する。
【００１４】
図１は本発明の一実施形態に係る水洗便器１の全体構成を示す。尚、水洗便器１の前後方向は、水洗便器１に着座した利用者から見た方向を基準にして説明する。すなわち、図１ないし図３中、Ｆ方向を前方、Ｂ方向を後方として説明する。
【００１５】
水洗便器１は、トレイの床面２上に設置された便器本体３と、便器本体３上に後端側に設けた回転軸４回りに開閉自在に取り付けられた便座５と、便座５を覆うために便座５と同様に便器本体３に開閉自在に取り付けられた便座カバー６とを備えている。
【００１６】
便器本体３は、図２にも示すように、排便用開口１１を形成するリム部１２と、リム部１２の下方に配置されたボウル部１３とを有している。ボウル部１３の底部１３ａには、図３に示すように、前後方向に延びる排水流路１４の一端（前端）が連通されており、排水流路１４の他端（後端）は、トラップ部１５に連通されている。
【００１７】
トラップ部１５は、図示していないが、蛇腹状に形成されたゴム製の筒状の可動トラップと、この可動トラップを駆動するための駆動装置とを備えている。可動トラップの上流端部は、排水流路１４の他端に接続される。可動トラップは、その下流端部に排水口を有し、通常時に排水口が上向きでボウル部１３の底部１３ａから所定の高さ位置にまで溜め水１６を溜め、排水時に排水口が下向きに姿勢変更されて、溜め水１６を汚物と共に排水するように構成されている。尚、溜め水１６の排水の前後にはリム部１２に形成した給水路（図示せず）を通して所定量の水道水がボウル部１３内に供給されるようになっている。
【００１８】
また、便器本体３は、図示していないが、金属製の骨組みにより支持された複数のパーツ部品からなる。ボウル部１３及び排水流路１４は、１つのパーツ部品であって、陶器からなる。
【００１９】
ボウル部１３の、溜め水１６の水面１７よりも下側の下側部位１３ｂに含まれる底部１３ａには、ボウル部１３の内外を貫通する円形状の貫通孔２１が設けられているとともに、この貫通孔２１に対応して超音波発生器２２が取り付けられている。超音波発生器２２は、先端に出力部２２ａを有し、この出力部２２ａを貫通孔２１を通してボウル部１３の内側に略面一に露出させた状態でボウル部１３の底部１３ａに取り付けられている。
【００２０】
また、超音波発生器２２は、マイクロコンピュータからなる制御部（図示せず）の制御の下に、通常時に作動して、ボウル部１３内の溜め水１６に対し超音波振動２３を起こすことで溜め水１６を殺菌するように構成されている。
【００２１】
貫通孔２１の周縁と超音波発生器２２との間にはその間を水密状態にシールするオーリングや弾性体等からなるシール材２４が設けられている。
【００２２】
次に、前記実施形態の作用効果について説明する。陶器製のボウル部１３の底部１３ａに貫通孔２１が設けられ、この貫通孔２１に設けた超音波発生器２２の出力部２２ａがボウル部１３の内側に露出して、通常時にボウル部１３内の溜め水１６に対し超音波振動２３を起こすようになっている。このため、高出力の超音波発生器２２を使用しなくてもボウル部１３内の溜め水１６に対し超音波振動２３を確実に起こすことができ、キャビテーションを発生させて殺菌効果を発揮することができる。また、排水時に超音波発生器２２が排水の妨げになり難く、超音波発生器２２に汚物等の汚れが付着するのを抑制することができる。よって、製造コストの低廉化を図りながら、ボウル部１３内の溜め水１６の殺菌を確実にかつ実施上有効に行うことができる。
【００２３】
しかも、貫通孔２１の周縁と超音波発生器２２との間にその間を水密状態にシールするシール材２４が設けられているため、この隙間からの水漏れを防止することができる。
【００２４】
尚、本発明は前記実施形態に限定されるものではなく、その他種々の形態を包含するものである。例えば前記実施形態では、トラップ部１５が可動トラップを備え、この可動トラップの排水口が、通常時に上向きでボウル部１３の底部１３ａから所定の高さ位置にまで溜め水１６を溜めるように構成された水洗便器１について述べた。しかし、本発明は、この水洗便器１に限らない。例えばトラップ部がオーバーフロー部を有するトラップ管からなり、このトラップ管のオーバーフロー部により、通常時にボウル部の底部から所定の高さ位置にまで溜め水を溜めるように構成された水洗便器にも同様に適用することができる。
【００２５】
また、前記実施形態では、便器本体３が金属製の骨組みにより支持された複数のパーツ部品からなり、ボウル部１３及び排水流路１４は、１つのパーツ部品であって、陶器からなる場合について述べた。しかし、本発明は、これに限らず、便器本体全体が１つの陶器からなる場合、又は便器本体が前記実施形態と同様に金属製の骨組みにより支持された複数のパーツ部品からなり、ボウル部が１つのパーツ部品でかつ陶器からなる場合にも同様に適用することができる。
【００２６】
更に、前記実施形態では、ボウル部１３の底部１３ａに、ボウル部１３の内外を貫通する貫通孔２１を設け、この貫通孔２１に超音波発生器２２を設けた。しかし、本発明は、これに限らず、ボウル部１３の溜め水１６の水面１７よりも下側の下側部位１３ｂで底部１３ａ以外の箇所に、同様の貫通孔を設け、この貫通孔に超音波発生器を設けても良い。
【符号の説明】
【００２７】
１    水洗便器
１３    ボウル部
１３ａ  底部
１３ｂ  下側部位
１４    排水流路
１５    トラップ部
１６    溜め水
１７    水面
２１    貫通孔
２２    超音波発生器
２２ａ  出力部
２３    超音波振動
２４    シール材
【図１】
2016118001.tif 000003
【図２】
2016118001.tif 000004
【図３】
2016118001.tif 000005